(57)【特許請求の範囲】
【請求項１】
水面に浮遊可能な複数のフロート部材と、当該複数のフトート部材を接続する索条体とを備えた水域区画用フロートであって、
前記索条体は、隣接する２つのフロート部材との接続位置において、水上又は水中に位置するように、傾斜した状態で当該隣接するフロート部材に接続されていることを特徴とする水域区画用フロート。
【請求項２】
前記各フロート部材は、偏心した位置に錘が取り付けられて、錘が取り付けられた一端部が水面下に位置し、それと反対側の他端部が水面の上方に位置するように水面に浮遊され、
前記複数のフロート部材は、隣接するフロート部材の一端部同士、又は他端部同士が交互に近接するように配置され、この状態で、隣接するフロート部材の一端部間及び他端部を前記索条体で接続することにより、前記索条体が水上又は水中に位置するように構成されていることを特徴とする請求項１に記載の水域区画用フロート。
【請求項３】
前記複数のフロート部材の各々に、前記索条体を水平方向に対して傾斜するように通すことにより、前記索条体が水上又は水中に位置するように構成されていることを特徴とする請求項１に記載の水域区画用フロート。
【発明の詳細な説明】
【技術分野】
【０００１】
本発明は、所定の水域を取り囲むように水面に設置される水域区画用フロートに関する。
【背景技術】
【０００２】
従来より、図３に示すように、水面を浮遊可能な複数のフロート部材３１をロープ３３により接続したフロート３０が知られている。このようなフロート３０は、例えば、海、湖、貯水池などに設けられた取水口など設備の近傍などの進入禁止水域を明示するために用いられている。
【０００３】
また、例えば、特許文献１には、このようなフロート３０を水面の集塵に用いる方法が記載されている。すなわち、所定の区域をかかる構成のフロートにより取り囲み、そのロープの一端を巻き上げる。この際、フロート部材３１及びこれらを結ぶロープ３３が水面に浮遊しているため、落ち葉やゴミなどの水面に浮遊する塵芥５をフロート部材３１及びロープ３３がかき集め、集塵することができる。
【特許文献１】特開平５−４４２１１号公報
【発明の開示】
【発明が解決しようとする課題】
【０００４】
このように、図３に示すような構成のフロート３０は水面に浮遊するフロート部材３１及びこれらを結ぶロープ３３が塵芥５を堰きとめてしまうため、水域区画の用途に用いる場合には、フロート３０により囲んだ水域内に塵芥５が溜まってしまう。このように塵芥５が溜まってしまうと景観を損ねるため、定期的に塵芥５の除去作業を行なう必要があり、このような塵芥５の除去作業は非常に手間がかかるという問題があった。
【０００５】
本発明は上記の問題に鑑みなされたものであり、その目的は、区画した水域内に塵芥が溜まることのない水域区画用フロートを提供することである。
【課題を解決するための手段】
【０００６】
本発明の水域区画用フロートは、水面に浮遊可能な複数のフロート部材と、当該複数のフトート部材を接続する索条体とを備えた水域区画用フロートであって、前記索条体は、隣接する２つのフロート部材との接続位置において、水上又は水中に位置するように、傾斜した状態で当該隣接するフロート部材に接続されていることを特徴とする。
【０００７】
また、上記の水域区画用フロートにおいて、前記各フロート部材は、偏心した位置に錘が取り付けられて、錘が取り付けられた一端部が水面下に位置し、それと反対側の他端部が水面の上方に位置するように水面に浮遊され、前記複数のフロート部材は、隣接するフロート部材の一端部同士、又は他端部同士が交互に近接するように配置され、この状態で、隣接するフロート部材の一端部間及び他端部を前記索条体で接続することにより、前記索条体が水上又は水中に位置するように構成されていることとしてもよい。
【０００８】
また、上記の水域区画用フロートにおいて、前記複数のフロート部材の各々に、前記索条体を水平方向に対して傾斜するように通すことにより、前記索条体が水上又は水中に位置するように構成されていることとしてもよい。
【発明の効果】
【０００９】
本発明によれば、索条体は、隣接するフロート部材間において、水上又は水中に位置するように、傾斜した状態で隣接するフロート部材に接続されているため、区画した水域内の水面に落下した落ち葉などの塵芥もフロート部材間を通って外部で出ることとなり、区画内に塵芥が溜ることを防止できる。
【発明を実施するための最良の形態】
【００１０】
以下、本発明の水域区画用フロートの実施形態を図面を参照しながら詳細に説明する。
図１は、第１実施形態の水域区画用フロート１０を示す図である。本実施形態の水域区画用フロートは、例えば、海や貯水池などの進入禁止水域などの所定の水域を取り囲むように設置され、この水域を明示するためのものである。図１に示すように、本実施形態の水域区画用フロート１０は、水面に浮遊する複数のフロート部材１１と、隣接するフロート部材１１の端部を結び、これら複数のフロート部材１１を連結するロープ１３とにより構成される。
【００１１】
フロート部材１１は、例えば発泡スチロール等の軽量な材料からなるラグビーボール状に形成された部材であり、何れか一方のロープ１３が接続されている位置の近傍にウエイト１２が取り付けられている。これにより、各フロート部材１１は、図１に示すように、ウエイト１２が取り付けられている側が下方に位置するように傾斜した状態で、水上に浮遊することになる。なお、各フロート部材１１は傾斜するものの、水面に浮遊しているため、水上より視認可能である。
【００１２】
また、複数のフロート部材１１は、ウエイト１２の取り付け位置が交互に反対側となるように配列されている。これにより、各フロート部材１１は、隣接するフロート部材１１と、互いにウエイト１２が取り付けられた側の端部同士、又はウエイト１２が取り付けられていない端部同士が近接することとなる。このため、隣接するフロート部材１１は、夫々の互いに近接する側の端部が、ともに水面の上方に位置する又はともに水面下に位置するように傾斜することとなる
【００１３】
これにより、互いに近接する側の端部が水面の上方となるように傾斜した隣接するフロート部材１１を連結するロープ１３は、その端部が各フロート部材１１から斜め上方に向かって延び、水上を通ってこれらフロート部材１１を接続することとなる。また、互いに近接する側の端部が水面の下方となるように傾斜した隣接するフロート部材１１を連結するロープ１３は、その端部が各フロート部材１１から斜め下方に向かって延び水中を通ってこれらフロート部材１１を接続することになる。このように、フロート部材１１を結ぶロープ１１が水中又は水上に位置することとなり、フロート部材１１の間を落ち葉などの水面に浮遊する塵芥が通過することが可能となる。
【００１４】
本実施形態によれば、各フロート部材１１が、隣接するフロート部材１１の互いに近接する側の端部が水中又は水上に位置するように傾斜するため、これらフロート部材１１を連結するロープ１３が水中又は水上を通ってこれらフロート部材１１を接続することとなる。これにより、水域区画用フロート２０により囲まれた水域内の水面に浮遊する塵芥５がフロート部材１１の間を通って外部に流出するため、塵芥５が水域内に溜まってしまうことがなく、水域内の塵芥を取り除く作業が不要となり、作業の手間を削減することができる。
【００１５】
図２は、本発明の第２実施形態を示す図である。同図に示すように、本実施形態では、各フロート部材２１に、このフロート部材２１が水面に浮遊した状態で、水平方向に対して傾斜するようにロープ２３を挿通可能な挿通孔２１Ａが設けられており、ロープ２３が各フロート部材２１の挿通孔２１Ａを挿通することで、これらフロート部材２１が連結されている。
【００１６】
また、複数のフロート部材２１は、その挿通孔２１Ａの傾斜の向きが交互に反対となるように配列されている。これにより、隣接するフロート部材２１の挿通孔２１Ａの互いに近接する側の端部が、ともに水中又は水上に位置することになり、これらフロート部材２１を連結するロープ２３は隣接するフロート部材２１から水平方向に対して上下同じ向きに傾斜して延びることとなる。これにより、図２に示すように、隣接するフロート部材２１を連結するロープ２３は水中又は水上を通って、これらフロート部材２１を間の水面を跨ぐように結ぶことになる。
【００１７】
このように第２実施形態の水域区画用フロート２０によれば、図１を参照して説明した実施形態と同様の効果が得られるとともに、さらに、フロート部材２１が水平に保たれるため、視認性を向上することができる。
【００１８】
なお、上記の各実施形態では、フロート部材１１，２１としてラグビーボール状のものを用いたが、これに限らず、球形など適宜な形状のフロート部材を用いることができる。
【００１９】
また、上記の第１実施形態では、フロート部材１１にウエイト１２を取り付け、フロート部材１１を傾斜させる構成とすることにより、また、第２実施形態では、フロート部材２１に水平方向に対して傾斜するように挿通孔２１Ａを設け、この挿通孔２１Ａをロープ２３を挿通させることにより、ロープ１３、２３が水上又は水中を通ってこれらフロート部材１１、２１を接続するようにしたが、かかる構成に限らず、隣接するフロート部材１１を接続するロープ１３が水上又は水中を通ってこれらフロート部材１１を接続していればよい。
【図面の簡単な説明】
【００２０】
【図１】本実施形態の水域区画用フロートを示す図である。
【図２】別の実施形態の水域区画用フロートを示す図である。
【図３】従来の水域区画用フロートを示す図である。
【符号の説明】
【００２１】
５  塵芥
１０、２０  水域区画用フロート
１１，２１  フロート部材
１２  ウエイト
１３、２３  ロープ
２１Ａ  挿通孔
【図１】
0004974915.tif 000002
【図２】
0004974915.tif 000003
【図３】
0004974915.tif 000004